(57)【要約】      （修正有）【課題】持ち運び可能で取り扱い容易な水素ガス含有スプレー缶を提供する。【解決手段】缶本体１の頂部にスプレーバルブ１０を設けるとともに、スプレーバルブ１０にはスプレーボタン２０を備えたスプレー缶であって、缶本体１内に水素ガスを含む気体からなるものが充填され且つ水素ガスが１〜４％（ｖ/ｖ）の濃度で封入されている。水素ガスは１０Ｋｇ圧で５リットル封入されている。スプレーボタン２０は横方向に突出する噴射口２１を備え、このスプレーボタン２０には着脱可能に吸入マスク３０を取付ける。【選択図】図２
0003200611.tif 000002
【実用新案登録請求の範囲】
【請求項１】
缶本体１の頂部にスプレーバルブ１０を設けるとともに、前記スプレーバルブ１０にはスプレーボタン２０を備えたスプレー缶であって、缶本体１内に水素ガスを含む気体からなるものが充填され且つ水素ガスが１〜４％（ｖ/ｖ）の濃度で封入されていることを特徴とする水素ガス含有スプレー缶。
【請求項２】
水素ガスは１０Ｋｇ圧で５リットル封入されていることを特徴とする請求項１記載の水素ガス含有スプレー缶。
【請求項３】
前記スプレーボタン２０は横方向に突出する噴射口２１を備え、このスプレーボタン２０には着脱可能に吸入マスク３０を取付けるものであって、前記吸入マスク３０は、一端部３１に前記スプレーボタン２０の前記噴射口２１に係合する水素ガス取入れ孔３２を有するとともに、他端部３３には開口マスク部３４を形成していることを特徴とする請求項１記載の水素ガス含有スプレー缶。
【考案の詳細な説明】
【技術分野】
【０００１】
本考案は、水素ガスを含有した持ち運び可能なスプレー缶に関する。
【背景技術】
【０００２】
近年、水素は体内に発生する活性酸素を除去して、健康や体力の向上、更には美容にも効果があるとの研究が進められている。また、このような水素の効果に鑑みて、多くの水素関連商品や機器（以下、「水素アイテム」という。）が開発、販売されている。
【０００３】
一般消費者向けの水素アイテムとしては、例えば、水素サーバーなどの水素生成機器、アルミボトルなどに充填された水素水、健康食品などの水素サプリメント、液体に浸漬すると水素が発生する水素スティックや水素粉末、クリームやパックなどの水素含有化粧品、容器に液体を注入すると水素水が生成される水素ボトル、ジャグジーやシャワーなどに付加される水素美容器具が知られている。
【０００４】
なお、酸素ガスの方は、水素ガスの場合とは異なり、持ち運び可能なマスク付き酸素ガス含有スプレー缶が知られている。
【先行技術文献】
【非特許文献】
【０００５】
「水素の可能性」（及川胤昭・内藤真礼生、扶桑社）
「水素の力  酵素の力」（内藤真礼生、統合医療推進機構）
「奇跡の水素革命」（高藤恭胤、幻冬社）
「水素水とサビない身体」（太田成男、小学館）
「水素美容のひみつ」（早坂理恵・太田成男、産学社）
「水素のトリセツ」（決定版、主婦と生活社）
【特許文献】
【０００６】
【特許文献１】特許第５１０６１１０号公報
【特許文献２】特開２０１４−１２２１４８号公報
【特許文献３】特開２００４−３４４８６２号公報
【特許文献４】実用新案登録第３１７５９９７号公報
【特許文献５】実開平１−１４０９６１号公報
【特許文献６】実公平３−４０７８３号公報
【考案の開示】
【考案が解決しようとする課題】
【０００７】
水素を含有する水素アイテムは、上記のように、水素を生成する水素生成機器、水素水、水素サプリメントなどが一般的であるが、水素ガスを含有した持ち運び可能なスプレー缶は見当たらない。そこで、本考案は、簡易な構造でありながら、従来の水素アイテムを凌駕する水素ガスを含有し、持ち運び可能な水素ガス含有スプレー缶を提案するものである。更に、本考案は、改良されたマスクを付帯し、如何なるときでも容易に使用することができる水素ガス含有スプレー缶を提案するものである。
【課題を解決するための手段】
【０００８】
本願第１請求項に記載した考案は、実施例で用いた符号を付して記すと、缶本体１の頂部にスプレーバルブ１０を設けるとともに、前記スプレーバルブ１０にはスプレーボタン２０を備えたスプレー缶であって、缶本体１内に水素ガスを含む気体からなるものが充填され且つ水素ガスが１〜４％（ｖ/ｖ）の濃度で封入されていることを特徴とする水素ガス含有スプレー缶である。
【０００９】
本願第２請求項に記載した考案は、請求項１において、水素ガスは１０Ｋｇ圧で５リットル封入されていることを特徴とする水素ガス含有スプレー缶である。
【００１０】
本願第３請求項に記載した考案は、請求項１において、前記スプレーボタン２０は横方向に突出する噴射口２１を備え、このスプレーボタン２０には着脱可能に吸入マスク３０を取付けるものであって、前記吸入マスク３０は、一端部３１に前記スプレーボタン２０の前記噴射口２１に係合する水素ガス取入れ孔３２を有するとともに、他端部３３には開口マスク部３４を形成していることを特徴とする水素ガス含有スプレー缶である。
【考案の効果】
【００１１】
本考案によれば、持ち運び可能で取り扱い容易な水素ガス含有スプレー缶をえることができる。
【考案を実施するための最良の形態】
【００１２】
以下に、本考案の実施例を図面に基づいて説明する。図１〜図４に示す本例の水素ガス含有スプレー缶は、缶本体１の頂部にスプレーバルブ１０を設け、スプレーバルブ１０にはスプレーボタン２０を備えたスプレー缶であって、スプレーボタン２０には着脱可能に吸入マスク３０を取付けるものである。
【００１３】
この水素ガス含有スプレー缶は、その缶本体１内に、水素ガスを含む気体であって且つ、水素ガスを１〜４％（ｖ/ｖ）の濃度のものを封入している。
【００１４】
また、本例の水素ガス含有スプレー缶には、水素ガスが１０Ｋｇ圧で５リットル封入されている。
【００１５】
更に本例の水素ガス含有スプレー缶を詳述すると、缶本体１は、水素ガスが漏れない材質のもの（例えばアルミニウム）で形成されている。前記スプレーボタン２０は横方向に突出する噴射口２１を備え、このスプレーボタン２０には着脱可能に吸入マスク３０を取付ける。
【００１６】
前記吸入マスク３０は、図５〜図６に示すように、一端部３１に前記スプレーボタン２０の前記噴射口２１に係合する水素ガス取入れ孔３２を有するとともに、他端部３３には開口マスク部３４を形成している。
【００１７】
本例の水素ガス含有スプレー缶は、通常は図７に示すように、吸入マスク３０を、その開口マスク部３４を下にして、缶本体１の上部に装着し、その上からキャップ４０を被せる。尚、キャップ４０は、スプレーボタン２０にも被せることができるようにその大きさが形成されている。
【００１８】
本例の水素ガス含有スプレー缶に用いられているスプレーバルブ１０は、図８〜図９に示すように、マウンテンカップ１１（水素ガスが漏れない材質のもの）の中央にハウジング１２の上部を固定している。
【００１９】
ハウジング１２には、ステム１３を上下方向に摺動可能に設けるとともに、下部にスプリング１４を設けて常時は上方向に押圧付勢している。
【００２０】
マウンテンカップ１１の中央部とハウジング１２上端との間に、ステムラバー１５を装着している。
【００２１】
ステム１３には、貫通孔１６が形成されており、図８に示すように、常時はこの貫通孔１６を、前記ステムラバー１５の先端部で封止している。
【００２２】
使用時において、図９に示すように、ステム１３が下方に押圧されると、つまりスプレーボタン２０が押圧されると、当該ステム１３は前記スプリング１４に抗して下方へ移動し、これに伴い前記ステムラバー１５の先端部が下方へ屈曲変形し、前記貫通孔１６の封止が解かれて、缶本体１の水素ガスが当該貫通孔１６を経て、前記スプレーボタン２０の噴射口２１から噴射される。
【００２３】
スプレーボタン２０から指が離れてこの押圧が解除されると、スプリング１４に付勢されてステム１３が上方に戻り、これによりステムラバー１５の先端部が上方へ強制的に復帰して、貫通孔１６に当接して再び封止され、スプレーボタン２０の噴射口２１からの噴射が停止する。
【００２４】
尚、特許文献５〜６のように、従来の酸素ガス含有スプレー缶の場合、スプレーボタンの噴射口が上方に突出していて、これに吸入マスクが装着されているものは、比較的大きな吸入マスクを押してガスを噴射させることとなり、その押圧操作が不安定となる欠点があった。この点、本例のものは、スプレーボタン２０の噴射口２１が横方向に突出して設けられて、この噴射口２１に吸入マスク３０が取付けられるので、使用時にはスプレーボタン２０そのものを押せばよく、吸入マスク３０を押さないで安定して噴射動作を行うことができるものである。
【００２５】
以上説明したように、本例の構成によると、水素ガスの利用者の便宜を向上すべく合理的に構成された水素ガス含有スプレー缶を得ることができる。
【００２６】
また、本例における各部の構成は、実用新案登録請求の範囲に記載した技術的範囲において適宜に設計変更が可能であり、図例説明したものに限定されないことは言うまでもない。
【産業上の利用可能性】
【００２７】
本考案の水素ガス含有スプレー缶は、いつでもどこでも利用者に水素ガスを供給する水素缶詰として好適に利用することが可能である。
【図面の簡単な説明】
【００２８】
【図１】本考案の実施例に係り、水素ガス含有スプレー缶を示す外観図である。
【図２】本考案の実施例に係り、図１に吸入マスクを取付けた状態を示す外観図である。
【図３】本考案の実施例に係り、図２のものを吸入マスクの方向から見た外観図である。
【図４】本考案の実施例に係り、図１から吸入マスクを外した状態を示す外観図である。
【図５】本考案の実施例に係り、吸入マスクを示す外観図である。
【図６】本考案の実施例に係り、吸入マスクを示す外観図で図５の反対方向から見た図である。
【図７】本考案の実施例に係り、図２のものにキャップを加えた状態を示す外観図である。
【図８】本考案の実施例に係り、スプレーバルブの通常の状態を示す縦断図である。
【図９】本考案の実施例に係り、スプレーバルブを押圧した状態を示す縦断図である。
【符号の説明】
【００２９】
１    缶本体
１０    スプレーバルブ
１１    マウンテンカップ
１２    ハウジング
１３    ステム
１４    スプリング
１５    ステムラバー
１６    貫通孔
１７    ガスケットラバー
２０    スプレーボタン
２１    噴射口
３０    吸入マスク
３１    一端部
３２    水素ガス取入れ孔
３３    他端部
３４    開口マスク部
３５    空気取入れ孔
４０    キャップ
【図１】
0003200611.tif 000003
【図２】
0003200611.tif 000004
【図３】
0003200611.tif 000005
【図４】
0003200611.tif 000006
【図５】
0003200611.tif 000007
【図６】
0003200611.tif 000008
【図７】
0003200611.tif 000009
【図８】
0003200611.tif 000010
【図９】
0003200611.tif 000011